(57)【要約】【課題】スライド式の携帯情報端末において、閉状態または開状態で安定させることができ、開閉が途中状態になることを回避する。【解決手段】操作部２１２が設けられた本体２と、本体２の操作部側に重ね合わせられた状態から操作部２１２に沿ってスライド自在に接続された蓋体３とからなる携帯情報端末１である。本体２と蓋体３との接続部には、本体２及び蓋体３を重ね合わせた閉状態において閉状態を維持する方向へ蓋体３を付勢し、かつ、蓋体３を本体２からスライドさせた開状態において開状態を維持する方向へ蓋体を付勢する付勢ばね４５が設けられているので、携帯情報端末を閉状態または開状態に固定することができる。【選択図】図１１
2006115109.tif 000002
【特許請求の範囲】
【請求項１】
操作部が設けられた本体と、本体の操作部側に重ね合わせられた状態から操作部に沿ってスライド自在に接続された蓋体とからなる携帯情報端末において、
本体と蓋体との接続部には、本体及び蓋体を重ね合わせた閉状態において閉状態を維持する方向へ蓋体を付勢し、かつ、蓋体を本体からスライドさせた開状態において開状態を維持する方向へ蓋体を付勢する付勢ばねが設けられていることを特徴とする携帯情報端末。
【請求項２】
付勢ばねの両端は本体及び蓋体にそれぞれ固定されており、本体側固定部のスライド方向に対する位置は、蓋体側固定部の閉状態における位置と、開状態における位置との間の位置であり、付勢ばねは本体側固定部及び蓋体側固定部が互いに離間するように付勢することを特徴とする請求項１に記載の携帯情報端末。
【請求項３】
本体と蓋体とは装置の中央部に設けられたフレキシブルプリント基板により接続されており、
フレキシブルプリント基板の軌道の側方に離間して２つの付勢ばねが設けられており、
付勢ばねはフレキシブルプリント基板の軌道の側方の軌道を移動することを特徴とする請求項１または２に記載の携帯情報端末。
【請求項４】
付勢ばねは端部で本体に回動自在に固定される本体側腕と、端部で蓋体に回動自在に固定される蓋体側腕と、本体側腕と蓋体側腕とを接続し、本体側腕及び蓋体側腕を開く方向に付勢するコイル部とからなり、
蓋体側固定部はフレキシブルプリント基板の軌道を挟んでスライド方向と垂直な方向に離間して設けられており、
本体側固定部は蓋体側固定部よりも、本体側腕の長さとコイル部の半径とを加えた長さ以上、スライド方向と垂直な方向にさらに離間して設けられていることを特徴とする請求項３に記載の携帯情報端末。
【発明の詳細な説明】
【技術分野】
【０００１】
本発明は、携帯電話機等の携帯情報端末に関する。
【背景技術】
【０００２】
従来の携帯電話機としては、表示部が設けられた蓋体と、キー入力部が設けられた本体とが、ヒンジ部で折り畳んで重ね合わせられるように接続された、いわゆる折り畳み式の携帯電話機がある。
【０００３】
また、本体に長手方向に案内溝を設け、案内溝に沿って移動自在に係合する係合片を蓋体に設け、蓋体を本体の上に重ね合わせて係合片を案内溝に係合させ、蓋体を本体に対してスライド自在にした携帯電話機もある。このような携帯電話機では、本体を掌に載せ、親指で蓋体を押すことで、蓋体が本体に対してスライドし、蓋体に覆われていた操作部を露出させることができる（特許文献１参照）。
【特許文献１】特開２００３−１１０６７５号公報
【発明の開示】
【発明が解決しようとする課題】
【０００４】
しかし、上記のスライド式の携帯電話では、蓋体を本体に重ね合わせた閉状態と、蓋体を本体から完全にスライドさせた開状態との途中でスライドを停止し、機能が切り替わらない恐れがあるため、ユーザが完全にスライドさせる操作が煩雑であった。
【０００５】
本発明の課題は、スライド式の携帯情報端末において、閉状態または開状態で安定させることができ、開閉が途中状態になることを回避することができる携帯情報端末を提供することである。
【課題を解決するための手段】
【０００６】
以上の課題を解決するため、請求項１に記載の発明は、操作部（テンキー２１２）が設けられた本体２と、本体２の操作部側に重ね合わせられた状態から操作部に沿ってスライド自在に接続された蓋体３とからなる携帯情報端末（携帯電話機１）において、本体２と蓋体３との接続部には、本体２及び蓋体３を重ね合わせた閉状態において閉状態を維持する方向へ蓋体３を付勢し、かつ、蓋体３を本体２からスライドさせた開状態において開状態を維持する方向へ蓋体を付勢する付勢ばね（トーションバネ４５）が設けられていることを特徴とする。
【０００７】
請求項１に記載の発明によれば、付勢ばねにより閉状態または開状態を維持する方向に蓋体３を付勢することで、携帯情報端末を閉状態または開状態に固定することができる。
【０００８】
請求項２に記載の発明は、請求項１に記載の携帯情報端末であって、付勢ばねの両端は本体２及び蓋体３にそれぞれ固定されており、本体側固定部（ベース側支軸４１５）のスライド方向に対する位置は、蓋体側固定部（レール側支軸４３５）の閉状態における位置と、開状態における位置との間の位置であり、付勢ばねは本体側固定部及び蓋体側固定部が互いに離間するように付勢することを特徴とする。
【０００９】
請求項２に記載の発明によれば、蓋体側固定部が本体側固定部よりもスライド方向に対して閉状態における位置に近い場合には、付勢ばねが蓋体側固定部を閉状態における位置へ付勢し、蓋体側固定部が本体側固定部よりもスライド方向に対して開状態における位置に近い場合には、付勢ばねが蓋体側固定部を開状態における位置へ付勢するので、携帯情報端末を閉状態または開状態に固定することができる。
【００１０】
請求項３に記載の発明は、請求項１または２に記載の携帯情報端末であって、本体２と蓋体３とは装置の中央部に設けられたフレキシブルプリント基板（ＦＰＣ５）により接続されており、フレキシブルプリント基板の軌道の側方に離間して２つの付勢ばねが設けられており、付勢ばねはフレキシブルプリント基板の軌道の側方の軌道を移動することを特徴とする。
【００１１】
請求項３に記載の発明によれば、付勢ばねがフレキシブルプリント基板の軌道の側方の軌道を移動するので、付勢ばねがフレキシブルプリント基板に接して傷つけることがない。
【００１２】
請求項４に記載の発明は、請求項３に記載の携帯情報端末であって、付勢ばねは端部で本体に回動自在に固定される本体側腕（ベース側腕４５１）と、端部で蓋体に回動自在に固定される蓋体側腕（レール側腕４５２）と、本体側腕と蓋体側腕とを接続し、本体側腕及び蓋体側腕を開く方向に付勢するコイル部４５３とからなり、蓋体側固定部はフレキシブルプリント基板の軌道を挟んでスライド方向と垂直な方向に離間して設けられており、本体側固定部は蓋体側固定部よりも、本体側腕の長さとコイル部４５３の半径とを加えた長さ以上、スライド方向と垂直な方向にさらに離間して設けられていることを特徴とする。
【００１３】
請求項４に記載の発明によれば、コイル部４５３は本体側固定部を中心として、本体側腕の長さとコイル部４５３の半径とを加えた長さを半径とする円軌道を通るが、本体側固定部が蓋体側固定部よりも、コイル部４５３の円軌道の半径以上、スライド方向と垂直な方向にさらに離間して設けられているため、付勢ばねは蓋体側固定部の軌道よりも側方の軌道を移動する。よって、付勢ばねがフレキシブルプリント基板に接して傷つけることがない。
【発明の効果】
【００１４】
本発明によれば、スライド式の携帯情報端末を閉状態または開状態で安定させることができ、開閉が途中状態になることを回避することができる。
【発明を実施するための最良の形態】
【００１５】
以下、本発明の実施の形態について詳細に説明する。図１は本発明の実施の形態として携帯電話機１を示す斜視図である。携帯電話機１は、上面にテンキー２１２が設けられた本体２と、上面にＬＣＤ窓３１１及びカーソルキー３５１が設けられた蓋体３とからなる。本体２及び蓋体３は、後述するスライドユニット４により、蓋体３が本体２に対して前後方向に移動するように取り付けられている。このため、図１（ａ）に示す蓋体３を本体２の上に重ね合わせてテンキー２１２を覆い隠した状態（閉状態）や、図１（ｃ）に示す蓋体３を本体２に対して前方向に移動させてテンキー２１２を露出させた状態（開状態）にすることができる。なお、図１（ｂ）は（ａ）と（ｃ）との中間状態である。
【００１６】
図２は本体２の分解斜視図である。本体２は、フロントケース２１と、リアケース２２と、バッテリーカバー２３とにより外観形状が形成されており、その内部に図３に示すバッテリー２４や、メイン基板２５等が収納されている。
【００１７】
図３は携帯電話機１の側断面図であり、図４は図３のＡ−Ａ断面、図５は図３のＢ−Ｂ断面図である。なお、図３は図４及び図５のＣ−Ｃ断面に相当する。フロントケース２１及びリアケース２２の前部及び後部は、図４に示すように、間にメイン基板２５を挟んでネジ２６１、２６２により接合されている。
【００１８】
メイン基板２５には、後述するＦＰＣ５のメイン基板側コネクタ５１（図９参照）と接続されるＦＰＣコネクタ２５１（図２参照）が設けられている。また、この他に、バイブモーター２５２、メインプロセッサ、テンキー２１２用センサー、メインアンテナ、サブアンテナ、メモリーカードスロット２５５、モデム、メモリー、電源ＩＣ、ＩＦコネクタ、イヤホンコネクタ等が設けられている。
【００１９】
フロントケース２１にはテンキー２１２や、後述するフレキシブルプリント基板（ＦＰＣ５）を通すＦＰＣ挿通孔２１１が設けられている。フロントケース２１の上面には、図３及び図５に示すように、後述するスライドユニット４のベース４１及びガイドレール４２がネジ２６３、２６４によりネジ止めされて取り付けられる。また、フロントケース２１のＦＰＣ挿通孔２１１の後部には係止部２１０が設けられており、ベース４１の後端部は、図９または図１０に示すように、係止部２１０によりフロントケース２１本体との間に挟まれて固定される。
【００２０】
図６は蓋体３の分解斜視図である。蓋体３は、フロントケース３１と、リアケース３２と、カメラカバー３３と、レールカバー３４とにより外観形状が形成されており、その内部にサブ基板３５、液晶ディスプレイ（ＬＣＤ３６）、フレーム３７、カメラユニット３８１、ステレオスピーカー３８２等が収納されている。
【００２１】
フロントケース３１には、ＬＣＤ窓３１１やカーソルキー用孔３１２が設けられている。ＬＣＤ窓３１１は透明であり、蓋体３に内蔵したＬＣＤ３６を保護しながら、ＬＣＤ３６による表示を透過させてユーザに見せる。カーソルキー用孔３１２は、サブ基板３５に設けられるカーソルキー３５１を露出させ、ユーザによるキー操作を可能とする。
リアケース３２には、図１１に示すように、後述するＦＰＣ５のサブ基板３５側コネクタを通すコネクタ貫通孔３２１が設けられている。
【００２２】
図７は携帯電話機１の側断面図であり、図８は図７のＤ−Ｄ断面図である。なお、図７は図８のＥ−Ｅ断面に相当する。
フロントケース３１及びリアケース３２の前部は、図８に示すように、間にサブ基板３５を挟んでネジ３９１により接合されている。また、フロントケース３１及びリアケース３２の後部は、間にフレーム３７を挟んでネジ３９２により接合されている。
【００２３】
リアケース３２の下面には、図７及び図８に示すように、後述するスライドユニット４のレール４３がネジ３９３、３９４、３９５によりネジ止めされて取り付けられる。また、リアケース３２のレール４３が取り付けられる部分の後方には、後述する係合片４１６、４２４が後ろ向きに挿入される係合孔３２０（図１４参照）が設けられている。
【００２４】
カメラカバー３３はリアケース３２の前側に取り付けられ、図６に示すカメラユニット３８１やステレオスピーカー３８２を被覆する。蓋体３のカメラカバー３３が取り付けられた部分は、他の部分よりも厚みが増した肉厚部３０となる。なお、カメラカバー３３には、図６、９、１０に示すように、被写体の光を透過させてカメラユニット３８１まで届かせるカメラ用窓３３１が設けられている。
レールカバー３４はリアケース３２に取り付けられ、携帯電話機１を開状態にしたときにレール４３の本体２の前部に露出する部分を被覆する。
【００２５】
サブ基板３５には、サブプロセッサ、カメラ用電源ＩＣ、カーソルキー３５１等が設けられている。カーソルキー３５１はカーソルキー用孔３１２から外側へ露出しており、ユーザによるキー操作が可能となっている。また、サブ基板３５の背面には、後述するＦＰＣ５のサブ基板側コネクタ５２と接続されるＦＰＣコネクタ３５２が設けられている。
【００２６】
ＬＣＤ３６はフレーム３７により支持されており、フレーム３７はリアケース３２に固定されている。カメラユニット３８１及びステレオスピーカー３８２は、図６に示すように、フロントケース３１及びリアケース３２の前部に収納されている。
【００２７】
図９は図１（ａ）の携帯電話機１の側方から見た断面図であり、図１０は図１（ｃ）の携帯電話機１の側方から見た断面図である。図９及び図１０に示すように、本体２は、前方に向かって薄くなる形状をしている。
【００２８】
蓋体３は、前方に向かって厚くなる形状をしている。また、蓋体３の前端部はさらに厚みを増しており、カメラユニット３８１やステレオスピーカー３８２等、厚みがあるデバイスが収納される肉厚部３０となっている。
【００２９】
肉厚部３０は、図９に示すように、閉状態においても、本体２の前方に位置し、本体２の上に重ね合わせられていない。このため、厚みがあるデバイスを前端部に収納しても、閉状態における携帯電話機１の厚みが増すことがない。
【００３０】
図９に示すように、閉状態において、本体２及び蓋体３の後端面は、ともに前方に向かって上がる傾斜面を構成しており、蓋体３の後端部の断面形状は鋭角になっている。また、蓋体３のカーソルキー３５１は、後端部の傾斜面に設けられている。
【００３１】
このため、図１０に示すように、開状態において、テンキー２１２の前部まで蓋体３の後端部を前進させ、テンキー２１２を露出させると、テンキー２１２の前方に断面形状が鋭角な蓋体３の後端部が位置する。テンキー２１２が設けられた本体２の上面と、カーソルキー３５１が設けられた蓋体３の後端部の傾斜面とが連続するため、テンキー２１２及びカーソルキー３５１を操作するときに指の移動が容易となる。
【００３２】
また、図１０に示すように、開状態においては、本体２の薄い前端部と、蓋体３の薄い後端部とが重なり合うため、開状態における携帯電話の厚みがほぼ一様になる。このため、従来のスライド式の携帯電話のように前後方向の中央部分で厚みが２倍になるという不具合がなく、使い勝手がよい。
【００３３】
ＦＰＣ５は両端部にメイン基板側コネクタ５１とサブ基板側コネクタ５２とを備え、メイン基板２５と、後述するサブ基板３５とを接続する。閉状態においては、図９に示すように、メイン基板側コネクタ５１が前方に、サブ基板側コネクタ５２が後方に位置している。閉状態から、蓋体３を前方に移動させると、サブ基板側コネクタ５２が前進し、図１０に示すようにメイン基板側コネクタ５１よりも前方に位置する開状態になる。
【００３４】
次に、本体２及び蓋体３を、蓋体３が本体２に対して前後方向に移動するように取り付けるスライドユニット４について説明する。図１１は本体２と蓋体３との間を接続するスライドユニットの取付構造を示す分解斜視図である。スライドユニット４は、図１２に示すように、ベース４１と、一対のガイドレール４２と、レール４３と、一対のスペーサー４４と、一対のトーションバネ４５とから概略構成される。
【００３５】
ベース４１及びガイドレール４２は、ネジ２６３、２６４により、本体２のフロントケース２１に取り付けられる。また、レール４３は、ネジ３９３、３９４、３９５により、蓋体３のリアケース３２に取り付けられる。
【００３６】
図１２はスライドユニット４の分解斜視図である。ベース４１は、基部４１１と、接続部４１２と、ガイドレール固定部４１３とからなる。基部４１１及びガイドレール固定部４１３は、図１１に示すように、本体２のフロントケース２１の前側部分に固定される。基部４１１の左右側端部には、接続部４１２が蓋体３側に突出して設けられている。また、基部４１１にはＦＰＣ５を通すＦＰＣ挿通孔４１４が設けられている。
【００３７】
接続部４１２は基部４１１とガイドレール固定部４１３とを上下に離間させて接続する。ガイドレール固定部４１３は左右の接続部４１２にそれぞれ接続されている。ガイドレール固定部４１３には、ガイドレール４２が固定される。
【００３８】
ベース４１の後方部の、基部４１１とガイドレール固定部４１３との間には、トーションバネ４５のベース側腕４５１の端部が回動自在に固定されるベース側支軸４１５が設けられる。なお、基部４１１とガイドレール固定部４１３との間の空間は、トーションバネ４５が動くための軌道となる。
【００３９】
ガイドレール４２は、基部４２１と、接続部４２２と、スペーサー保持部４２３とからなる。基部４２１はベース４１のガイドレール固定部４１３に固定される。接続部４２２はスペーサー保持部４２３をガイドレール固定部４１３から離間させて基部４２１に接続する。スペーサー保持部４２３はガイドレール固定部４１３との間に、スペーサー４４を介してレール４３を摺動自在に保持する。
【００４０】
また、ベース４１及びガイドレール４２の後端部には、後方に突出した係合片４１６、４２４がそれぞれ設けられている。係合片４１６、４２４は、図１４に示すように、リアケース３２に設けられた係合孔３２０と係合し、本体２に対して前方向に摺動する蓋体３を停止させる。係合片４１６、４２４が係合孔３２０と係合していることで、開状態において蓋体３の前側部分に下向きの力がかかった場合でも、蓋体３の後端が本体２から浮き上がることを防ぎ、開状態における携帯電話機１の剛性を高めることができる。
【００４１】
レール４３は、固定部４３１と、接続部４３２と、スペーサー固定部４３３と、連結部４３４とからなる。左右一対の固定部４３１は、リアケース３２に前後方向に平行に固定される。
【００４２】
接続部４３２は、スペーサー固定部４３３をリアケース３２から離間させて固定部４３１と接続する。スペーサー固定部４３３は左右一対のスペーサー４４を前後方向に平行に固定する。また、スペーサー固定部４３３の前端には上方へ突出する突出部４３６が設けられている。突出部４３６は、ガイドレール４２の前端と当接し、ガイドレール４２及びベース４１に対して後方へ摺動するレール４３を停止させる。
【００４３】
連結部４３４は、左右一対の固定部４３１を連結する。連結部４３４の上面には、ＦＰＣ５のサブ基板側コネクタ５２が配置される。連結部４３４の前端左右側部の下面には、トーションバネ４５のレール側腕４５２の端部が回動自在に固定されるレール側支軸４３５が取り付けられる。左右のレール側支軸４３５が取り付けられる部分の間には、ＦＰＣ５が通される。
【００４４】
スペーサー４４は断面コ字形状をしており、レール４３のスペーサー固定部４３３を被覆し、ベース４１及びガイドレール４２をレール４３に対して摺動自在とする。スペーサー４４の素材としては、ベース４１及びガイドレール４２との摩擦係数が小さい素材を用いることが好ましい。
【００４５】
トーションバネ４５は、ベース側腕４５１と、レール側腕４５２と、ベース側腕４５１及びレール側腕４５２を接続するコイル部４５３とからなる。コイル部４５３はベース側腕４５１及びレール側腕４５２を広げるように付勢している。ベース側腕４５１の端部はベース側支軸４１５に、レール側腕４５２の端部をレール側支軸４３５に、それぞれ回動自在に固定されている。トーションバネ４５は、ベース側腕４５１の端部とレール側腕４５２の端部との間隔が広がるように付勢されているため、ベース側支軸４１５とレール側支軸４３５とを、互いに遠ざかる方向へ付勢する。
【００４６】
図１３は図１の携帯電話機１の形態に対応するスライドユニット４の形態を示す斜視図である。図１３（ａ）は本体２の上に蓋体３が重ね合わせられた閉状態であり、レール４３前端の突出部４３６がガイドレール４２の前端に当接している。このときレール側支軸４３５はベース側支軸４１５よりも後方に位置するため、トーションバネ４５の弾性力は、レール側支軸４３５をベース側支軸４１５に対して遠ざかる方向、すなわち後方に付勢している。
【００４７】
閉状態の携帯電話の本体２を掌に載せ、親指で蓋体３を前方へ押圧すると、トーションバネ４５の弾性力に抗して蓋体３が前進し、図１３（ｂ）に示す中間状態となる。このときレール側支軸４３５とベース側支軸４１５とが左右に並んでいるので、トーションバネ４５の弾性力は、レール側支軸４３５をベース側支軸４１５に対して遠ざかる方向、すなわちレール４３と垂直な左右方向に作用している。このため、中間状態は、トーションバネ４５が蓋体３を前後いずれの方向にも付勢しない不安定な状態である。
【００４８】
中間状態からさらに親指で蓋体３を前方へ押圧すると、レール側支軸４３５がベース側支軸４１５よりも前方へ位置するため、トーションバネ４５はレール側支軸４３５をベース側支軸４１５から遠ざける方向、すなわち前方に付勢する。このため、蓋体３を中間状態よりも前方へ押圧すると、以降は蓋体３を前方へ押圧しなくても、トーションバネ４５の弾性力により、蓋体３が前進する。
【００４９】
蓋体３は、図１４に示すように、リアケース３２に設けられた係合孔３２０に、ベース４１及びガイドレール４２の後端部に設けられた係合片４１６、４２４が係合することで、前進を停止し、開状態となる。開状態において蓋体３の前部分に下向きの力がかかった場合には、蓋体３の後端が本体２から浮き上がろうとするが、係合孔３２０に係合片４１６、４２４が係合しているので、蓋体３がベース４１及びガイドレール４２から浮き上がることを防いでいる。また、本体２のフロントケース２１の係止部２１０により、ベースの後端が固定されているので、ベース４１が蓋体３とともに浮き上がることを防いでおり、開状態における携帯電話機１の剛性を高めている。
【００５０】
開状態から蓋体３を後方に下げる場合にも同様に、中間状態まではトーションバネ４５の弾性力に抗して力を作用させる必要があるが、中間状態以降はトーションバネ４５の弾性力により、蓋体３が後方に移動する。
【００５１】
なお、ベース側腕４５１の長さと、コイル部４５３の半径とを足した長さ、すなわちベース側支軸４１５を中心とするコイル部４５３の可動半径は、レール側支軸４３５とベース側支軸４１５との最短距離よりも短い。このため、トーションバネ４５のコイル部４５３は、レール側支軸４３５の軌道よりも側方の軌道を移動する。レール側支軸４３５の間はＦＰＣ５が移動する軌道となるが、トーションバネ４５の軌道はＦＰＣ５の軌道よりも側方であるため、トーションバネ４５がＦＰＣ５の移動を妨げることはない。
【００５２】
同様に、レール側腕４５２の長さと、コイル部４５３の半径とを足した長さ、すなわちレール側支軸４３５を中心とするコイル部４５３の可動半径は、レール側支軸４３５とベース側支軸４１５との最短距離よりも短いため、トーションバネ４５のコイル部４５３は、ベース側支軸４１５の軌道よりも内側の軌道を移動する。
【００５３】
以上説明したように、本実施の形態では、蓋体２の前端部に、本体２側に厚みを増した肉厚部を設けているので、カメラデバイス３８１やステレオスピーカー３８２等の厚みがあるデバイスを肉厚部に収納することができるので、携帯電話機１の厚みを増さずに多機能化することができる。
【００５４】
また、蓋体３を本体２に対して前方向に移動させた時に、本体２の薄い前方部分と、蓋体３の薄い後方部分とが重なり合うので、携帯電話機１の厚さが前後方向に一様となり、携帯電話機１の使い勝手を良好にすることができる。
【００５５】
なお、以上の実施の形態においては、スライド式の携帯電話機について説明したが、本発明はこれに限らず、例えばＰＤＡ等、その他の携帯情報端末に本発明を適用してもよい。また、上記のトーションバネ４５等の形状はコイル部４５３を１つ有するものであったが、２つのコイル部を有するものを用いてもよく、その他の具体的な細部構造についても適宜変更可能であることはもちろんである。
【図面の簡単な説明】
【００５６】
【図１】（ａ）〜（ｃ）は本発明の実施の形態の携帯電話機を示す斜視図である。
【図２】図１の携帯電話機の本体を示す分解斜視図である。
【図３】図１の携帯電話機を示す側断面図である。
【図４】図のＡ−Ａ断面図である。
【図５】図３のＢ−Ｂ断面図である。
【図６】図１の携帯電話機の蓋体を示す分解斜視図である。
【図７】図１の携帯電話機を示す後部横断面図である。
【図８】図７のＤ−Ｄ断面図である。
【図９】図１の携帯電話機を示す断面図である。
【図１０】図１の携帯電話機を示す断面図である。
【図１１】携帯電話機の本体と蓋体との取付構造を示す分解斜視図である。
【図１２】図１１の本体と蓋体とを接続するスライドユニットを示す分解斜視図である。
【図１３】（ａ）〜（ｃ）はそれぞれ図１（ａ）〜（ｃ）の携帯電話機の形態に対応するスライドユニットの形態を示す斜視図である。
【図１４】図１の携帯電話機を示す側断面図である。
【符号の説明】
【００５７】
１     携帯電話機
２     本体
３     蓋体
４５   トーションバネ
２１２ テンキー
４１５ ベース側支軸
４３５ レール側支軸
【図１】
2006115109.tif 000003
【図２】
2006115109.tif 000004
【図３】
2006115109.tif 000005
【図４】
2006115109.tif 000006
【図５】
2006115109.tif 000007
【図６】
2006115109.tif 000008
【図７】
2006115109.tif 000009
【図８】
2006115109.tif 000010
【図９】
2006115109.tif 000011
【図１０】
2006115109.tif 000012
【図１１】
2006115109.tif 000013
【図１２】
2006115109.tif 000014
【図１３】
2006115109.tif 000015
【図１４】
2006115109.tif 000016